(57)【要約】      （修正有）【課題】使用時には、タオル、手拭い、布巾、バスタオル等を干すために水平状になり、不使用時には、垂直状に収納することのできる物干し具を提供する。【解決手段】本物干し具は、ビス挿通孔２又はクリップを備えた平板状の取付枠３もしくは軸芯を中心に水平方向に回動できる筒状の取付枠と、これら取付枠の側面に固定され上下面が開口された基枠５と、該基枠５内を上下方向にスライドでき上下端に基枠５の開口より径大の球体をもつシャフト６とを備え、基枠５がシャフト６をその下側の球体を開口４に当接させた状態で水平状に支持できるようになり、下駄箱、柱、壁などの既製物９に取付けたり、スタンドに取付けて自立して使用できる。また、シャフト６を水平状にしたときに、横ブレしない状態で保持できるように構成することも可能である。この物干し具は、家庭や旅館などにおいても広く利用可能である。【選択図】図１
0003148354.tif 000002
【実用新案登録請求の範囲】
【請求項１】
ビス挿通孔又はクリップを備えた平板状の取付枠と、該取付枠の一側面に固定され上下面が開口された基枠と、該基枠内を上下方向にスライドでき上下端にそれぞれ前記基枠の開口より径大の球体を設けたシャフトとを備え、前記基枠が、前記シャフトをその下側の球体を前記開口に当接させた状態で水平状に支持できるようになっていることを特徴とする物干し具。
【請求項２】
軸芯を中心に水平方向に回動できる筒状の取付枠と、該取付枠の一側面に固定され上下面が開口された基枠と、該基枠内を上下方向にスライドでき上下端にそれぞれ前記基枠の開口より径大の球体を設けたシャフトとを備え、前記基枠が、前記シャフトをその下側の球体を前記開口に当接させた状態で水平状に支持できるようになっていることを特徴とする物干し具。
【請求項３】
ビス挿通孔又はクリップを備えた平板状の取付枠、もしくは軸芯を中心に水平方向に回動できる筒状の取付枠と、該取付枠の側面に固定され上下面が開口された基枠と、該基枠内を上下方向にスライドでき上下端に前記基枠の開口より径大の球体をもつシャフトとを備え、前記基枠に、前記シャフトをその下側の球体を前記開口に当接させた状態で水平状に支持する横ブレ防止枠を備えたことを特徴とする物干し具。
【考案の詳細な説明】
【技術分野】
【０００１】
本考案は、使用時には、タオル、手拭い、布巾、バスタオル等を干すために水平状になり、不使用時には、垂直状に収納することのできる物干し具に関するものである。
【背景技術】
【０００２】
従来、使用時には、タオル、手拭い、布巾、バスタオル等を複数枚をまとめて干すことができるように開き、不使用時には、扁平に畳むことのできる物干し具はあった。たとえば、特開２００５−１４３６７１号公報の如く、外枠と内枠とを内外の斜交位置で回動可能に軸支してなる脚部と、その外枠と内枠との上縁間に回動可能に取り付けた物干し部とを備え、前記脚部の内枠を２つ折り可能とし、その内枠を２つに折ることにより、該内枠と外枠及び物干し部の３者が扁平に重なる（不使用状態）。一方、不使用状態から内枠を伸ばしてストッパーで止めると脚部が開き、物干し部が水平な使用状態に復帰するように構成したものである。
【特許文献１】特開２００５−１４３６７１号公報
【考案の開示】
【考案が解決しようとする課題】
【０００３】
しかしながら、脚部の内枠を止めている左右のストッパーを外してから内枠を折り畳んで、該内枠と外枠及び物干し部の３者を扁平に重ねるようにする作業は、かなり面倒であったばかりでなく、時間も要した。また、折り畳んだ物干し具を片付ける適当な場所も確保し難かった。
【０００４】
本考案は、上記問題を解消するためのものであって、その目的とするところは、使用時の形態から不使用時の形態及び不使用時の形態から使用時の形態への変化が容易であり、片付ける適当な場所も不要な新規な物干し具を提供することにある。
【課題を解決するための手段】
【０００５】
上記目的を達成するため、本考案に係る物干し具は、ビス挿通孔又はクリップを備えた平板状の取付枠と、該取付枠の一側面に固定され上下面が開口された基枠と、該基枠内を上下方向にスライドでき上下端にそれぞれ前記基枠の開口より径大の球体を設けたシャフトとを備え、前記基枠が、前記シャフトをその下側の球体を前記開口に当接させた状態で水平状に支持できるようになっていることを特徴とし、下駄箱、柱、壁などの既製物に取付枠を取り付け、シャフトを上方に引き出しつつ水平にすると物干し可能となり、不使用時には該シャフトを垂直に納める得るように構成した。
【０００６】
また、請求項２に記載の物干し具は、筒状の取付枠と、該取付枠の一側面に固定され上下面が開口された基枠と、該基枠内を上下方向にスライドでき上下端にそれぞれ前記基枠の開口より径大の球体を設けたシャフトとを備え、前記基枠が、前記シャフトをその下側の球体を前記開口に当接させた状態で水平状に支持できるようになっていることを特徴とし、たとえば、筒状の取付枠をスタンドの上端の軸芯に嵌入し、一端部の球体を持ってシャフトを上方に引き出しつつ水平にすると物干し可能となり、不使用時には該シャフトを垂直に納める得るように構成した。
【０００７】
さらに、請求項３に記載の物干し具は、ビス挿通孔又はクリップを備えた平板状の取付枠、もしくは軸芯を中心に水平方向に回動できる筒状の取付枠と、該取付枠の側面に固定され上下面が開口された基枠と、該基枠内を上下方向にスライドでき上下端に前記基枠の開口より径大の球体をもつシャフトとを備え、前記基枠に、前記シャフトをその下側の球体を前記開口に当接させた状態で水平状に支持する横ブレ防止枠を備えたことを特徴とし前記シャフトを横ブレしない状態で水平状に保持できるように構成した。
【考案の効果】
【０００８】
本考案に係る物干し具によれば、平板状の取付枠を下駄箱、柱、壁などの既製物に取り付け、シャフトを一端部の球体を持ち、他端部の球体が基枠の開口下面に当接するまで引き出して水平にすると、タオル等を干すことが可能な状態になり、一端部（先端部）の球体を持ち上げてからシャフトを垂直に下向きに滑らして持っていた球体を開口上面に載置するようにすると、不使用状態に納めることが容易にしかもワンタッチにてできるという優れた効果を奏するものである。
【０００９】
また、請求項２に記載の物干し具によれば、筒状の取付枠をスタンドの上端の軸芯に複数個直列に重ね、シャフトを一端部の球体を持ち、他端部の球体が基枠の開口下面に当接するまで引き出して水平にすると、タオル等を干すことが可能な状態になり、一端部（先端部）の球体を持ち上げてからシャフトを垂直に下向きに滑らして持っていた球体を開口上面に載置するようにすると、不使用状態に納めることが容易にしかもワンタッチにてできるという優れた効果を奏するものである。
【００１０】
また、請求項３に記載の物干し具によれば、前記シャフトが横ブレしない状態で水平状に保持でき、したがって、干し物を安定的に干すことができるという優れた効果を奏するものである。
【考案を実施するための最良の形態】
【００１１】
次に、本考案を実施するための最良の形態を図面に基づいて説明する。図１は第１例の本願物干し具の斜視図、図２は第２例の本願物干し具の斜視図、図３はシャフトと球体との結合状態を示す断面図、図４は本願物干し具（第１例）の使用時から不使用時への変化を示す斜視図、図５は本願物干し具（第２例）の使用時から不使用時への変化を示す斜視図である。
【００１２】
１は本願物干し具で、該本願物干し具には、図１に示す第１例と、図２に示す第２例とがある。第１例のものは、ビス挿通孔２を備えた平板状の取付枠３の一側面に、上下面が開口４されている基枠５が固定されている。該基枠５はＵ字状の端部５ａと、該端部５ａから連続した棒体５ｂ、５ｃを段違い平行棒状に配してなる。この段違い平行棒状に配した棒体５ｂと５ｃ間の開口４には、上下方向にスライドできるようにシャフト６が嵌入している。該シャフト６の上下端には、それぞれ前記開口４より径大な球体７ａ、７ｂが備えられている。
【００１３】
前記シャフト６は、上側の球体７ａをもって上方向にスライドさせ、下側の球体７ｂを前記開口４の下面に当接させた状態で水平状にすると、段違い平行棒状に配した下側の棒体５ｃに支えられ、物干し可能となる。一方、物干し可能状態から上側の球体７ａをもって垂直にし、下方向にスライドさせ、上側の球体７ａを前記開口４の上面に置くと、シャフト６は垂下状になり、不使用状態となる。
【００１４】
前記第１例の本願物干し具１は、前記ビス挿通孔２を挿通したビス８により下駄箱などの既製物９に固定的に取付けられている。もちろん、前記平板状の取付枠３には、ビス挿通孔２に代えて下駄箱などの既製物の一部（凸部）を把持できるクリップを設けるようにしてもよい。前記クリップは、挟み状のもの以外に金属既製物に吸着できる永久磁石（図示せず）、あるいは剥離紙を剥がして使用する接着剤塗布面（図示せず）であってもよいことは勿論である。
【００１５】
また、第２例の本願物干し具１は、図２の如く、軸芯１０を中心に水平方向に回動可能に嵌合できる筒状の取付枠３′と、その一側面の上下位置に両端部を対向側面に固定（溶接）したＵ字状の上枠５ｄとＵ字状の下枠５ｅとを、下枠５ｅ側を上枠５ｄより前方に突き出す格好で棚段状に配した基枠５と、該基枠５の上枠５ｄの外と、下枠５ｅの内との間に形成された開口４に、上下方向にスライドできるように挿入したシャフト６と、該シャフト６の上下端に、前記開口４より径大の球体７ａ及び７ｂを備えられてなる。
【００１６】
前記筒状の取付枠３′は、下端に脚部１１を有するスタンド１２の上端部から延出した軸芯１０に嵌入している。前記脚部１１は、下面に３個以上の滑り止め突起を有する一定の重さのある平板状のものでもよいが、図示の場合は金属パイプを扇状に曲げ、扇の要部に設けた支持板にスタンド１２を立設し、かつ、前記パイプの両端を外側に向けて八字状に開いている。これはスタンド１２が八字状端部側へも倒れ難くしている。なお、図示していないが、前記平板状の取付枠３の一側面から軸芯（前記軸芯１０に対応）をＬ状に立ち上げ、該Ｌ状の軸芯に第２例の筒状の取付枠３′が嵌合できるようにすることも可能である。
【００１７】
上記第２例の場合も、前記シャフト６は、上側の球体７ａをもって上方向にスライドさせ、下側の球体７ｂを前記開口４の下面に当接させた状態で水平状にすると、棚段状に配した基枠５の下枠５ｅに支えられ、物干し可能となる。一方、物干し可能状態から上側の球体７ａをもって垂直にし、下方向にスライドさせ、上側の球体７ａを前記開口４の上面に置くと、シャフト６は垂下状になって不使用状態となる。
【００１８】
前記シャフト６の材質は特に問わないが、好ましくは、ステンレス製の中空シャフトを用いることがよい。また、前記球体７ａ、７ｂの材質も特に問わないが、成形上、プラスチック製のものがよい。更に、シャフト６と球体７ａ（７ｂ）との結合手段としては、たとえば、図３の如く、シャフト６の端部に設けた雄ネジ６′と、球体７ａ及び７ｂ側に設けた雌ネジ７′とを螺合することにより結合させるとよい。
【００１９】
前記シャフト６を、その下側の球体７ｂを前記開口４の下面に当接させた状態で水平状に支える段違い平行棒状に配した下側の棒体５ｃ、又は棚段状に配した下枠５ｅの対応部位にはそれぞれ横ブレ防止枠１３を備えるとよい。該横ブレ防止枠１３は、第１例の場合には、前記シャフト６の太さ（外径）より広幅の隙間ができるようにＵ字状に曲げた棒材の両端部を、前記段違い平行棒状の上側の棒体５ｂに、下側棒体５ｃを直交状に跨ぐような格好にて固着（溶接）してなる。また、第２例の場合には、前記シャフト６の太さ（外径）より広幅の隙間ができるようにＵ字状に曲げた棒材の両端部を、前記棚段状にした上枠５ｄのＵ字部に、下枠５ｅのＵ字部を直交状に跨ぐ格好で固着（溶接）してなる。この横ブレ防止枠１３のＵ字状に曲げた棒材は、シャフト６が乗り越えて外れ難くするため、図示の如く、波状に形成している。
【００２０】
なお、段違い平行棒状に配した棒体５ｂと５ｃ間の開口４、及び棚段状に配した基枠５の上枠５ｄの外と、下枠５ｅの内との間に形成された開口４の機能（シャフトの上下端に結合した球体を通過させない）は、横ブレ防止枠１３を備えるときはＵ字状に曲げた棒材の隙間が負うこととなる。
【００２１】
前記平板状の取付枠３の一側面に段違い平行棒状に配した基枠５の棒体５ｂ、５ｃは、図１の一点鎖線の如く延長し、その延長部を含めて複数個（２個以上）のシャフト６が所定間隔毎に設けられるようにすることも可能である。また、上枠５ｄと、下枠５ｅを棚段状に配した筒状の取付枠３′を、前記スタンド１２の上端部から延出した軸芯１０に、図２の一点鎖線の如く、複数個（図上では１個追加）を直列的に回動可能に嵌入することも可能である。
【００２２】
次に、本願物干し具１の作用を、図４及び図５に基づいて説明する。まず、下駄箱などの既製物９に固定的に取付けた第１例の本願物干し具１の基枠５の開口４を通して上下方向にスライド可能に設けたシャフト６を、その上側の球体７ａをもって上方向にスライドさせ、下側の球体７ｂを前記開口４の下面に当接させ、この状態で水平状にすると、該シャフト６は段違い平行棒状に配した下側の棒体５ｃに支えられると同時に、横ブレ防止枠１３に係合し、図４（ａ）の如く、物干しできる状態（使用可能）となる。一方、物干し可能状態から上側の球体７ａをもってシャフト６を、図４（ｂ）の如く、立てつつ下方向にスライドさせ、図４（ｃ）の如く、上側の球体７ａを前記横ブレ防止枠１３の上面に置くと、シャフト６は垂下状（不使用状態）となる。
【００２３】
次に、下端に脚部１１を有するスタンド１２の上端部から延出した軸芯１０に筒状の取付枠３′を嵌入している第２例の本願物干し具１の基枠５のＵ字状の上枠５ｄの外と、下枠５ｅの内との間に形成された開口４を通して上下方向にスライド可能に設けたシャフト６を、その上側の球体７ａをもって上方向にスライドさせ、下側の球体７ｂを前記開口４の下面に当接させ、この状態で水平状にすると、該シャフト６は下枠５ｅのＵ字部に支えられると同時に横ブレ防止枠１３に係合し、図５（ａ）の如く、物干しできる状態（使用可能）となる。一方、使用状態から上側の球体７ａをもってシャフト６を、図５（ｂ）の如く、立てつつ下方向にスライドさせ、図５（ｃ）の如く、上側の球体７ａを前記横ブレ防止枠１３の上面に置くと、シャフト６は垂下状（不使用状態）となる。
【産業上の利用可能性】
【００２４】
本願物干し具１は、使用時の形態から不使用時の形態及び不使用時の形態から使用時の形態への変化が容易であり、使用時はタオルなどが干し易くなるように大きく展開し、不使用時には形態が小さくなって嵩張らず、邪魔にならず、家庭や旅館などにおいて広く利用可能である。
【図面の簡単な説明】
【００２５】
【図１】第１例の本願物干し具の斜視図である。
【図２】第２例の本願物干し具の斜視図である。
【図３】シャフトと球体との結合状態を示す断面図である。
【図４】本願物干し具（第１例）の使用時から不使用時への変化を示す斜視図である。
【図５】本願物干し具（第２例）の使用時から不使用時への変化を示す斜視図である。
【符号の説明】
【００２６】
１  本願物干し具
２  ビス挿通孔
３  平板状の取付枠
３′  筒状の取付枠
４  開口
５  基枠
５ａ  Ｕ字状の端部
５ｂ、５ｃ  棒体
５ｄ  Ｕ字状の上枠
５ｅ  Ｕ字状の下枠
６  シャフト
６′雄ネジ
７ａ、７ｂ  球体
７′  雌ネジ
８  ビス
９  既製物
１０  軸芯
１１  脚部
１２  スタンド
１３  横ブレ防止枠
【図１】
0003148354.tif 000003
【図２】
0003148354.tif 000004
【図３】
0003148354.tif 000005
【図４】
0003148354.tif 000006
【図５】
0003148354.tif 000007